【手続補正書】
【提出日】平成19年4月26日(2007.4.26)
【手続補正１】
【補正対象書類名】特許請求の範囲
【補正対象項目名】全文
【補正方法】変更
【補正の内容】
【特許請求の範囲】
【請求項１】
液体の滴下的分配のための流通分配装置の配置(１０２)であって、配置が、
ａ)(i) 上流末端(１０６)および下流末端(放出口)(１０７)を持つ流通マイクロ導管(１０５)、および
(ii) これらの二つの末端(１０６および１０７)の間に分配装置オリフィス(１０８)、
を備えるハウジング(１０４)、ならびに
ｂ)上流末端(１０６)に付着して、流通マイクロ導管(１０５)および入口管(１１０)の中に輸送されるかならびに／もしくはオリフィス(１０８)を通して分配されるべき液体(１１３)のための液体保管槽(１１２)に接続され得る入口(入口末端)(１１１)を提供する入口管(１１０)、
を備えて、
当該入口(１１１)および当該下流末端(１０７)の間の総内容積(Ｖ総)ならびに／もしくは当該オリフィス(１０８)および当該入口の間の総内容積(Ｖ'総)が≦１０μｌであることを特徴とする、流通分配装置の配置。
【請求項２】
請求項１に記載の分配装置配置であって、
(ａ) Ｖ総が≦０.５ｍｍ２の最大横断面区域(流動方向に垂直な)を有すること、および／もしくは
(ｂ) 入口管(１１０)が≧５ｍｍの長さ(流動方向に)を有すること
を特徴とする、分配装置配置。
【請求項３】
請求項１〜２のいずれか１項に記載の分配装置配置であって、当該入口管(１１０)が当該流通マイクロ導管(１０５)を通って通過されるかおよび／もしくは当該分配装置オリフィス(１０８)を通して分配されるべき液体のための唯一つの入口を備えることを特徴とする、分配装置配置。
【請求項４】
当該流通マイクロ導管(１０５)の内容積(Ｖ導管)が≦５μｌであることを特徴とする、請求項３に記載の分配装置配置。
【請求項５】
比率：Ｖ総／Ｖ導管が≦１００であり、そして／もしくは比率：Ｌ総／Ｌ導管が≦１００であることを特徴とする、請求項３〜４のいずれか１項に記載の分配装置配置。
【請求項６】
入口(１１１)および分配装置オリフィス(１０８)がハウジング(１０４)の異なる側面の上に、好ましくは反対の側面の上にあることを特徴とする、請求項１〜５のいずれか１項に記載の分配装置配置。
【請求項７】
分配装置オリフィス(１０８)の外側の縁が疎水性であって、場合によりこの疎水性がオリフィスを取り囲んでいる外の表面区域に延長していることを特徴とする、請求項１〜６のいずれか１項に記載の分配装置配置。
【請求項８】
オリフィス(１０８)はそれぞれがピコリットル範囲(＜５０００ｐｌ)の容積を有する小液滴を分配する能力があることを特徴とする、請求項１〜７のいずれか１項に記載の分配装置配置。
【請求項９】
流通マイクロ導管(１０５)がハウジング(１０４)の同一の側面の中で好ましくは開いている、一つ、二つもしくはそれ以上の分配装置オリフィス(１０８)を備えることを特徴とする、請求項１〜８のいずれか１項に記載の分配装置配置。
【請求項１０】
請求項１〜９のいずれか１項に記載の分配装置配置であって、ハウジング(１０４)が、
ａ) 一つ、二つもしくはそれ以上の当該流通マイクロ導管(１０５)、
ｂ) それぞれの当該流通マイクロ導管(１０５)のための当該入口管(１１０)、および
ｃ) 当該流通マイクロ導管(１０５)のそれぞれに作用する能力がある圧力を作動させる手段(１０９)、
を備えて、
そこでは分配装置オリフィス(１０８)、上流末端(１０６)、下流末端(１０７)および入口(１１１)が、好ましくは当該流通マイクロ導管(１０５)のそれぞれについて同一の方式で、お互いに対して配置されること
を特徴とする、分配装置配置。
【請求項１１】
二つもしくはそれ以上の流通マイクロ導管(１０５)があること、およびこれらの少なくとも二つが共通の入口を有することを特徴とする、請求項１０に記載の分配装置配置。
【請求項１２】
微小装置(２０１)の同一の側面に存在する、一つ、二つもしくはそれ以上の標的区域(２００)への液体の滴下的分配のための機器のセットアップであって、
ａ) それぞれが放出口(２２１)、入口(２２２)、ならびに放出口(２２１)および入口(２２２)の間の分配装置オリフィス(２０８)を有する、一つもしくはそれ以上の流通通路(２２０)を備える液滴分配装置の配置(２０２)、ならびに
ｂ) 入口(２２２)から放出口(複数を含む)(２２１)への方向に当該流通通路(２２０)を通して液体を吸引するかもしくは液体を押す能力があって、当該押すことが入口(複数を含む)末端(２２２)で過圧力のガスを液体に適用することにより達成される、液体輸送のための発生装置(輸送発生装置Ｉ)(２１７)
を備えることを特徴とする、機器のセットアップ。
【請求項１３】
当該液体輸送が吸引によっていることを特徴とする、請求項１２に記載の機器のセットアップ。
【請求項１４】
請求項１２〜１３のいずれか１項に記載の機器のセットアップであって、
ｄ) 微小装置(２０１)を保持するための支持体(２２４)、
ｅ) 廃液配置(２１５)、および
ｆ) 微小装置(２０１)に分配されるべき液体(２１３)を保管するための、一つ、二つもしくはそれ以上の貯蔵槽(２１４)を備える液体保管槽(２１２)、
をさらに備えて、
そこでは
Ａ) 放出口(複数を含む)(２２１)が廃液配置(２１５)と流体的に接続されていること、
Ｂ) 入口(複数を含む)(２２２)が液体保管槽(２１２)の貯蔵槽(２１４)の一つもしくはそれ以上と流体的に接続される能力があること、
Ｃ) 分配装置オリフィス(複数を含む)(２０８)および支持プレート(２１９)の上に保持される微小装置(２０１)の標的区域(２００)を備える側面がお互いに並置されていること、ならびに
Ｄ) 当該支持プレート(２２４)の上に保持されるときには、当該微小装置(２０１)の一つもしくは両方のいずれか、および当該分配装置オリフィス(複数を含む)(２０８)が、お互いに対して可動性であり、それにより分配装置オリフィス(２０８)から当該一つもしくはそれ以上の標的区域(２００)へ液体の分配(２０３)を可能にすること、
を特徴とする、機器のセットアップ。
【請求項１５】
請求項１２〜１４のいずれか１項に記載の機器のセットアップであって、当該分配装置配置が、
●それぞれの流通通路(２２０)の入口(２２２)および放出口(２２１)が、それぞれ、分配装置配置の入口(１１１)および下流末端(１０７)である、ならびに
●当該圧力作動手段(１０９)が当該ハウジング(１０４)を介する当該壁に関連している、
請求項１〜１１のいずれか１項に記載されている分配装置配置であることを特徴とする、機器のセットアップ。
【請求項１６】
請求項１２〜１５のいずれか１項に記載の機器のセットアップであって、
ａ) 当該液体保管槽(２１２)が、その側面の一つの中に、一つ、二つもしくはそれ以上の液体貯蔵槽(２１４)を備える保管プレート(２２３)であること、
ｂ) 当該分配装置配置(２０２)が二つもしくはそれ以上の分配装置オリフィス(２０８)、およびそれぞれが入口(２２２)を持つ二つもしくはそれ以上の入口管(２１０)を持つ変換分配装置の配置であること、ならびに
ｃ) 当該微小装置(２０１)が二つもしくはそれ以上の標的区域(２００)を備えること、
そこでは
●標的区域(２００)を備える微小装置(２０１)の側面が分配装置オリフィス(２０８)の反対に回転される、そして
●液体貯蔵槽(２１４)を含有する保管プレート(２２３)の側面が標的区域(２００)を備える微小装置(２０１)の側面と反対方向に回転される、そして
●当該標的区域(２００)の少なくとも二つが当該分配装置オリフィス(２０８)の少なくとも二つのアレイの幾何学的な立体配置に調和する幾何学的な立体配置を有するアレイを規定する、そして
●当該一つもしくはそれ以上の入口(２１１)の、少なくとも一つ、好ましくは少なくとも二つが当該貯蔵槽の一つもしくはそれ以上の中に同時に適合する、
ことを特徴とする、機器のセットアップ。
【請求項１７】
請求項１２〜１６のいずれか１項に記載の機器のセットアップであって、当該微小装置(２０１)はそれぞれが当該標的区域(２００)の一つを規定する液体用の入口孔(５５０ａ、ｂ)を有する、一つ、二つもしくはそれ以上のマイクロチャネル構造(５５２)を備える微小流体装置であることを特徴とする、機器のセットアップ。
【請求項１８】
請求項１２〜１７のいずれか１項に記載の機器のセットアップであって、入口(２２２)の始動が、流通通路(２２０)の入口(２２２)の次の区分を、好ましくは少なくとも当該入口(２２２)および当該流通通路(複数を含む)の分配装置オリフィス(２０８)の間の容積を包含する当該区分を、始動液が満たすことを許容されることを意味する、始動液を持つ分配装置配置(２０２)の入口(２２２)を始動するための始動配置(２１６)を備えることを特徴とする、機器のセットアップ。
【請求項１９】
請求項１８に記載の機器のセットアップであって、始動配置(２１６)は、
(ａ) 当該流通通路(複数を含む)(２２０)の放出口(複数を含む)(２２１)に流体的に接続される能力があること、そして
(ｂ) 分配装置配置(２０２)の中にこの／これらの放出口(複数を含む)(２２１)を介して始動液を導入する能力があること、
を特徴とする、機器のセットアップ。
【請求項２０】
請求項１８に記載の機器のセットアップであって、始動配置は、
(ａ) 入口(複数を含む)(２２２)に流体的に接続される能力があること、そして
(ｂ) 分配装置配置(２０２)の中にこの／これらの入口(複数を含む)(２２２)を介して始動液を導入する能力があること、
を特徴とする、機器のセットアップ。
【請求項２１】
それぞれの入口(２２２)が、始動の間にこの貯蔵槽から入口(２２２)を通って押されるかもしくは吸引される始動液用の貯蔵槽に流体的に接続されることを特徴とする、請求項１８および２０のいずれか１項に記載の機器のセットアップ。
【請求項２２】
請求項１８〜２０のいずれか１項に記載の機器のセットアップであって、それぞれの放出口が始動の間にこの貯蔵槽(２３５)から入口(２２２)へ放出口(２２１)を通って押されるかもしくは吸引される、始動液用の貯蔵槽(２３５)に流体的に接続されることを特徴とする、機器のセットアップ。
【請求項２３】
入口(複数を含む)および流通通路(複数を含む)を洗浄するための洗浄配置を備えることを特徴とする、請求項１２〜２２のいずれか１項に記載の機器のセットアップ。
【請求項２４】
当該洗浄配置が、貯蔵槽が入口(複数を含む)に接続される能力がある、洗浄液用の貯蔵槽を備えることを特徴とする、請求項２３に記載の機器のセットアップ。
【請求項２５】
請求項１２〜２４のいずれか１項に記載の機器のセットアップであって、
(ａ) 当該微小装置(２０１)が、それぞれが一つ、二つもしくはそれ以上の入口孔(５５０ａ、ｂ)と関連する、一つ、二つもしくはそれ以上のマイクロチャネル構造(５５２)を備える微小流体装置であること、
(ｂ) それぞれの当該標的区域(２００)が当該入口孔(５５０ａ、ｂ)の一つであること、そして
(ｃ) 一つもしくはそれ以上の当該入口孔(５５０ａ、ｂ)がｎｌの範囲(＜５０００ｎｌ)、もしくはｐｌの範囲(＜５０００ｐｌ)のように、μｌ−範囲(＜５０００μｌ)で液体容積を保持する能力があるマイクロキャビティー(５５４、５５５)と、好ましくは直接に、流体連絡にあること、
を特徴とする、機器のセットアップ。
【請求項２６】
当該マイクロキャビティーがバルブ機能、典型的には、受動性のもしくは毛管のバルブのような閉鎖しないバルブにより下流方向に輪郭を描かれていることを特徴とする、
請求項２５に記載の機器のセットアップ。
【請求項２７】
請求項２５〜２６のいずれか１項に記載の機器のセットアップであって、当該マイクロキャビティーが、
(ａ) 容積計量マイクロキャビティー、および／または
(ｂ) それぞれが容積計量能力を有する、二つもしくはそれ以上の連結サブマイクロキャビティーを備える分布マニフォ−ルドの一部
であることを特徴とする、機器のセットアップ。